(57)【要約】【課題】  ベッド本体に弾力性を付与することにより、快適性が高く、しかも組み立て・分解、持ち運びが容易なベッドを提供する。【解決手段】  四隅に円形の穴部を形成した床板を含むベッド本体と、前記穴部より大きな直径を有する４つの球状の中空弾性体と、で構成され、前記中空弾性体が前記穴部でそれぞれ固定されるように、適切に配置した前記中空弾性体の上に前記ベッド本体の前記床板を載置して形成する。【選択図】図１
2010082402.tif 000002
【特許請求の範囲】
【請求項１】
四隅に円形の穴部を形成した床板を含むベッド本体と、
前記穴部より大きな直径を有する４つの球状の中空弾性体と、で構成され、
前記中空弾性体が前記穴部でそれぞれ固定されるように、適切に配置した前記中空弾性体の上に前記ベッド本体の前記床板を載置して形成したことを特徴とするベッド。
【請求項２】
前記床板に形成した前記穴部は、前記中空弾性体と接触する部分にテーパが形成されていることを特徴とする請求項１に記載のベッド。
【請求項３】
前記床板は、上半身側と下半身側とで半分に折り畳み又は分離することが可能であることを特徴とする請求項１又は２に記載のベッド。
【発明の詳細な説明】
【技術分野】
【０００１】  本発明は、快適性が高く、且つ、組み立て・分解、持ち運びが容易なベッドに関する。
【背景技術】
【０００２】  睡眠の重要性に対する認識の高まりや高齢者介護の急増等の社会的背景から、ベッドの機能性は年々向上している。その中には、例えば、自動でリクライニングするベッドや簡単に折り畳み可能なベッドなど、移動や収納の容易さを追求した各種製品がある（例えば、特許文献１または特許文献２参照）。【０００３】  ところで、ベッドの使用性能、即ち、快適さは、通常、ベッド本体ではなくその上に載置するマットレスや布団により実現されるものとなっている。しかし、特に、移動性や収納性を重視した簡易ベッドでは、マットレスや布団がない場合をも想定し、できる限りベッド本体に快適性を実現できる手段を備えていることが好ましい。快適性を実現する手段の一つとしてベッド本体に弾力性を付与することが考えられる。【０００４】  また、ベッド使用時における共通の課題として、移動させるときにフローリングの床や畳を金属製や木製の脚部で傷付けてしまうことが多いという問題や、長時間同じ場所に設置していると、その後移動させたときに絨毯や畳に押さえた跡が残ってしまうという問題があった。特に、移動性や収納性を重視した簡易ベッドでは、場所を選ばず設置できるという特徴があるだけに、上記の課題が解決されることが好ましい。【０００５】
【特許文献１】  特開２００４−３５８２０３号公報  第６頁〜第１７頁  図１
【特許文献２】  特開２００５−９５５５８号公報  第５頁〜第９頁  図３
【発明の開示】
【発明が解決しようとする課題】
【０００６】  そこで本発明は上記従来の課題に鑑みてなされたものであって、ベッド本体に弾力性を付与することにより、快適性が高く、しかも組み立て・分解、持ち運びが容易なベッドを提供することを目的とする。また、使用時において床や畳などを傷付けることの少ないベッドを提供することを目的とする。
【課題を解決するための手段】
【０００７】  本発明のベッドは、四隅に円形の穴部を形成した床板を含むベッド本体と、前記穴部より大きな直径を有する４つの球状の中空弾性体と、で構成され、前記中空弾性体が前記穴部でそれぞれ固定されるように、適切に配置した前記中空弾性体の上に前記ベッド本体の前記床板を載置して形成したことを特徴とする。【０００８】  上記構成によれば、ベッドの脚部に中空弾性体を用い、ベッド本体に弾力性を付与することにより、ベッドの快適性を向上させることができる。また、脚部が中空弾性体であるため、使用時において床や畳などを傷付けることが少ない。【０００９】  また、本発明のベッドは、請求項１に記載のベッドであって、前記床板に形成した前記穴部は、前記中空弾性体と接触する部分にテーパが形成されていることを特徴とする。【００１０】  上記構成によれば、球状の中空弾性体が穴部に的確に収容されるので、中空弾性体の上にベッド本体を載置した構造において安定性を向上させることができる。【００１１】  また、本発明のベッドは、請求項１又は２に記載のベッドであって、前記床板は、上半身側と下半身側とで半分に折り畳み又は分離することが可能であることを特徴とする。【００１２】  上記構成によれば、ベッドの組み立て・分解、持ち運びを容易に行うことができる。
【発明の効果】
【００１３】  本発明によれば、脚部に球状の中空弾性体を用いて床板に弾力性を付与することにより、ベッド本体の快適性を向上させることができる。しかも、構成が簡易であるため、組み立て・分解、持ち運びを容易に行うことができる。更に、脚部が中空弾性体であるため、使用時において床や畳などを傷付けることが少ない。
【発明を実施するための最良の形態】
【００１４】  以下、本発明の実施の形態におけるベッドについて図面を用いて詳細に説明する。【００１５】  ［実施の形態１］  図１は、本発明の実施の形態１におけるベッドの第三角法による投影図である。ベッドは、主に、床板１０を含むベッド本体１００と、ベッド本体１００の四隅に形成した穴部１１に収容されるように載置された中空弾性体２００と、で構成される。【００１６】  図２は、ベッド本体１００の床板１０と中空弾性体２００との接触の様子を示す図である。床板１０に形成した穴部１１には、中空弾性体２００を的確に収容するように、下側に広がったテーパ１２が形成されている。【００１７】  図３は、実施の形態１におけるベッドの詳細な部品構成を示すための図である。ベッドの床板１０は、１０ａと１０ｂの同一形状の床板２枚で構成され、組立時は、それぞれの凸部１３を相手側の凹部１４へ挿入して位置決めし、床板１０の上下両面から固定金具１５を用いて双方の床板１０ａおよび１０ｂを固定する。尚、床板１０の表面には、その上にマットレスを載置する場合のズレ防止用として、または使用者が直接ベッド本体１００の上に横になる場合の指圧効果を奏する手段として、突起１６のパターンが形成されている。【００１８】  床板１０の側面には、サイドフレーム２０が取り付けられる。サイドフレーム２０は、床板１０の横方向のサイドフレーム２０ａと縦方向のサイドフレーム２０ｂで構成され、固定金具２１でそれぞれを繋ぎ、固定金具２２で床板１０に固定される。フレームの四隅部分には、フレームのエッジおよび取付部分を覆うためのキャップ２３が装着される。更に、床板１０のヘッド側には、ヘッド側手摺り２４が取り付けられる。【００１９】  尚、床板１０の材質は、木材に限らず、例えば、軽量且つ耐衝撃性などにも優れる発泡ポリスチレンなどを用いてもよい。また、サイドフレーム２０やヘッド側手摺り２４も、アルミニウムや合成樹脂等で構成することが好ましい。【００２０】  次に、ベッドの脚部として用いる中空弾性体２００は、ゴムや合成樹脂、合成皮革等で形成したボールに空気を充填したものである。ベッド本体１００の自重で固定されるので、床板１０を上げれば中空弾性体２００を容易に取り外すことができる。上記のような構造であるので、中空弾性体２００は、例えば、市販のバスケットボールなどで代用することも可能である。簡単な構成であるが、ボールの弾性により、ベッド本体１００に適切な弾力性を付与することができる。【００２１】  ［実施の形態２］  図４は、本発明の実施の形態２におけるベッドの投影図である。本実施の形態に係るベッドは、主に、底面部材にスノコ５０を配したベッド本体１１０と、中空弾性体２００とで構成される。ベッド本体１００は、ベッドの縦方向に配した２本の基材３０の上にスノコ５０が固定されている。また頭部側とつま先側には、スノコ５０と基材３０との間に背板４０が固定されており、背板４０それぞれの両端には、中空弾性体２００を収容するための穴部４１が形成されている。【００２２】  また、スノコ５０のうち、上記穴部４１に対向する部分に配したスノコには、上記の穴部４１より径の小さい半円状の切欠部５１が形成されている。穴部４１と切欠部５��により、中空弾性体２００が的確に固定される。尚、正面図に示すように、中空弾性体２００の上部がスノコ５０の上面より上にはみ出すことのないよう、穴部４１および切欠部５１は、中空弾性体２００の大きさに合わせて適切な寸法に形成されている。【００２３】  中空弾性体２００は、実施の形態１と同様、ゴムや合成樹脂、合成皮革等で形成したボールに空気を充填したものである。従って、実施の形態２のベッドにおいても、ボールの弾性により、ベッド本体１００に適切な弾力性を付与することができる。【００２４】  尚、本実施の形態のベッドの材質も木材に限らず、剛性や耐衝撃性に優れる合成樹脂などを用いてよい。【００２５】  以上のように、本発明のベッドによれば、簡易な構成によりベッド本体に適切な弾力性を付与することができる。そのため、脚部が棒状の従来のベッドに比べて快適性を向上させることができる。また、脚部が中空弾性体であるため、使用時において床や畳などを傷付けることが少なく、場所を選ばず設置することができる。
【産業上の利用可能性】
【００２６】  本発明にかかるベッドは、簡易な構成でベッド本体に弾力性を付与し、ベッドの快適性を向上させることができるという効果を有し、移動性や収納性を重視したベッドにおいて有用である。
【図面の簡単な説明】
【００２７】
【図１】  本発明の実施の形態１におけるベッドの第三角法による投影図
【図２】  ベッド本体の床板と中空弾性体との接触の様子を示す図
【図３】  実施の形態１におけるベッドの詳細な部品構成を示すための図
【図４】  本発明の実施の形態２におけるベッドの投影図
【符号の説明】
【００２８】１０  床板
１１  穴部
１２  テーパ
１３  凸部
１４  凹部
１５  固定金具
１６  突起
２０  サイドフレーム
２１  固定金具
２２  固定金具
２３  キャップ
２４  ヘッド側手摺り
３０  基材
４０  背板
５０  スノコ
１００  ベッド本体
１１０  ベッド本体
【図１】
2010082402.tif 000003
【図２】
2010082402.tif 000004
【図３】
2010082402.tif 000005
【図４】
2010082402.tif 000006
【図５】
2010082402.tif 000007
【手続補正書】
【提出日】平成20年12月1日(2008.12.1)
【手続補正１】
【補正対象書類名】明細書
【補正対象項目名】００２１
【補正方法】変更
【補正の内容】
【００２１】  ［実施の形態２］  図４は、本発明の実施の形態２におけるベッドの投影図である。また、図５は、実施の形態２におけるベッドの斜視図である。本実施の形態に係るベッドは、主に、底面部材にスノコ５０を配したベッド本体１１０と、中空弾性体２００とで構成される。ベッド本体１００は、ベッドの縦方向に配した２本の基材３０の上にスノコ５０が固定されている。また頭部側とつま先側には、スノコ５０と基材３０との間に背板４０が固定されており、背板４０それぞれの両端には、中空弾性体２００を収容するための穴部４１が形成されている。
【手続補正２】
【補正対象書類名】明細書
【補正対象項目名】００２７
【補正方法】変更
【補正の内容】
【００２７】
【図１】本発明の実施の形態１におけるベッドの第三角法による投影図
【図２】ベッド本体の床板と中空弾性体との接触の様子を示す図
【図３】実施の形態１におけるベッドの詳細な部品構成を示すための図
【図４】本発明の実施の形態２におけるベッドの投影図
【図５】実施の形態２におけるベッドの斜視図